(57)【要約】【課題】雨水等の水を植栽領域に接触させることなく貯水部へ供給することできる貯水構造を提供することを課題とする。【解決手段】植栽を行う植栽部と、水を貯める内部空間を形成する貯水部と、植栽部及び貯水部の上方に配置されて接触した水を所定方向へ集める集水部とを備えており、前記貯水部は、上側に植栽部が重ならない領域であって内部空間へ水を供給可能な水供給領域を備えており、前記集水部は、植栽部における植栽を行う領域を上方から覆うよう構成されると共に、集水部を上下方向に貫通するように形成された集水貫通孔と、該集水貫通孔から集水部の外側へ向かって形成されて集水貫通孔から離れるに従って集水貫通孔よりも高さが高くなるように形成された集水傾斜部とを備えており、前記集水貫通孔は、前記水供給領域と上下方向において重なる位置に配置される。【選択図】図４
2018057349.tif 000002
【特許請求の範囲】
【請求項１】
植栽を行う植栽部と、水を貯める内部空間を形成する貯水部と、植栽部及び貯水部の上方に配置されて接触した水を所定方向へ集める集水部とを備えており、
前記貯水部は、上側に植栽部が重ならない領域であって内部空間へ水を供給可能な水供給領域を備えており、
前記集水部は、植栽部における植栽を行う領域を上方から覆うよう構成されると共に、集水部を上下方向に貫通するように形成された集水貫通孔と、該集水貫通孔から集水部の外側へ向かって形成されて集水貫通孔から離れるに従って集水貫通孔よりも高さが高くなるように形成された集水傾斜部とを備えており、
前記集水貫通孔は、前記水供給領域と上下方向において重なる位置に配置される貯水構造。
【請求項２】
前記貯水部は、底部と、該底部の外周部の全周から上方へ延出するように形成された側壁部とを備えると共に、該側壁部の高さの１／３以下の高さ位置に貯水された水を排出する排水部を備える請求項１に記載の貯水構造。
【請求項３】
前記植栽部、前記貯水部、及び、前記集水部のうちの少なくとも一方が構造物に対して着脱可能である請求項１又は２に記載の貯水構造。
【請求項４】
前記集水部は、該集水部を貫通するように形成されて植栽部で植栽される植物を挿通可能に構成された植物挿通部を備える請求項１乃至３の何れか一項に記載の貯水構造。
【請求項５】
前記植栽部、及び、貯水部は、構造物に設置可能に構成されており、
前記植栽部が貯水部の上側に配置されることで、植栽部が構造物から離間した位置に保持される請求項１乃至４の何れか一項に記載の貯水構造。
【請求項６】
前記植栽部は、一つ又は複数の植栽部材を用いて形成されており、
前記貯水部は、一つ又は複数の貯水部材を用いて形成される請求項１乃至５の何れか一項に記載の貯水構造。
【請求項７】
前記貯水部に貯水された水を流動させる流動設備を更に備える請求項１乃至６の何れか一項に記載の貯水構造。
【請求項８】
請求項１乃至７の何れか一項に記載の貯水構造が水平方向に複数配列して形成される貯水構造集合形態であって、
隣接する貯水部同士の間に隙間が形成される貯水構造集合形態。
【請求項９】
植栽が施される植栽部と水が貯水される貯水部とを備える貯水構造の前記貯水部へ水を集める集水部材であって、
前記植栽部における植栽を行う領域を上方から覆うように配置可能に構成された集水本体部を備えると共に、該集水本体部を上下方向に貫通する集水貫通孔と、該集水貫通孔から集水本体部の外側へ向かって形成されて集水貫通孔から離れるに従って集水貫通孔よりも高さが高くなるように形成された集水傾斜部とを備えており、
集水貫通孔は、前記貯水部が備える領域であって上方に植栽部が重ならないように構成されて貯水部へ水を供給可能な水供給領域と上下方向において重なるように配置される集水部材。
【発明の詳細な説明】
【技術分野】
【０００１】
本発明は、植栽が施される植栽部と水を貯水する貯水部とを備える貯水構造、及び、該貯水構造を複数配列した貯水構造集合形態に関する。また、前記貯水構造に使用される集水部材に関する。
【背景技術】
【０００２】
従来から、例えば、建築物の屋上等において植栽を施す場合、雨水を一時的に貯水する貯水構造を設ける場合がある。斯かる貯水構造としては、雨水を貯水するための貯水部材から構成される貯水部と、植栽が施される植栽部材から構成される植栽部とを備えるものが知られている（特許文献１参照）。該植栽部材は、植栽を行う領域（以下、植栽領域とも記す）に供給された水（植物の育成に必要な水や雨水等）を下方へ排出可能に構成されている。そして、貯水部材上に植栽部材が載置されることで、植栽部材に降り注いだ雨水が植栽領域から貯水部材に排出されるよう構成されている。
【０００３】
しかしながら、上記のような貯水構造では、例えば、大量の雨水が植栽部材上に降り注ぐと、植栽領域で植栽用の土壌と接触した雨水が貯水部材へ排出されるため、富栄養化した水（植物の育成に必要な成分を多量に含んだ水）が貯水部材に貯められることになる。このように富栄養化した水は、下水道へ排出されると、下水処理設備に大きな負荷が生じる要因となるため、何らかの水処理を施した上で下水道へ排出することが必要となる。このため、貯水部材に貯められた水の処理に手間とコストが必要である。また、上記のように植栽領域から貯水部材へ排出される水には、土が含有される場合もある。土を含有する水が貯水部材に貯められると、貯水部材内に土が堆積してしまうため、貯水部材を頻繁に洗浄することが必要となる。
【先行技術文献】
【特許文献】
【０００４】
【特許文献１】特開２００５−３０４３１０号公報
【発明の概要】
【発明が解決しようとする課題】
【０００５】
そこで、本発明は、雨水等の水を植栽領域に接触させることなく貯水部へ供給することできる貯水構造、及び、該貯水構造を複数配列した貯水構造集合形態を提供することを課題とする。また、前記貯水構造で使用される集水部材を提供することを課題とする。
【課題を解決するための手段】
【０００６】
本発明に係る貯水構造は、植栽を行う植栽部と、水を貯める内部空間を形成する貯水部と、植栽部及び貯水部の上方に配置されて接触した水を所定方向へ集める集水部とを備えており、前記貯水部は、上側に植栽部が重ならない領域であって内部空間へ水を供給可能な水供給領域を備えており、前記集水部は、植栽部における植栽を行う領域を上方から覆うよう構成されると共に、集水部を上下方向に貫通するように形成された集水貫通孔と、該集水貫通孔から集水部の外側へ向かって形成されて集水貫通孔から離れるに従って集水貫通孔よりも高さが高くなるように形成された集水傾斜部とを備えており、前記集水貫通孔は、前記水供給領域と上下方向において重なる位置に配置される。
【０００７】
斯かる構成によれば、前記集水部は、植栽部における植栽を行う領域（以下、植栽領域とも記す）を上方から覆うように構成されるため、例えば、雨が降った際に、植栽領域と雨水とが接触するのを集水部によって防止することができる。そして、集水部と接触した雨水は、集水傾斜部を伝って集水貫通孔側へ集められることになる。
【０００８】
また、貯水部が備える水供給領域と集水貫通孔とが上下方向において重なる位置に配置されるため、集水貫通孔側へ集められた雨水が集水貫通孔を介して水供給領域へ供給される。これにより、貯水部の内部空間へ雨水を貯めることができる。つまり、雨水を植栽領域と接触させることなく、貯水部へ貯めることができる。これにより、植栽領域の土壌との接触によって富栄養化した雨水や、植栽領域との接触によって土を含有した雨水が貯水部で貯水されるのを防止することができるため、良好な水質の水を貯水部で貯水することができると共に、貯水部に汚れが蓄積されるのを抑制することができる。
【０００９】
前記貯水部は、底部と、該底部の外周部の全周から上方へ延出するように形成された側壁部とを備えると共に、該側壁部の高さの１／３以下の高さ位置に貯水された水を排出する排水部を備えてもよい。
【００１０】
斯かる構成によれば、側壁部の高さの１／３以下の高さ位置に貯水された水を排出する排水部を備えることで、貯水部内の水量が前記高さ位置を超える前に貯水部からの水の排出を行うことができる。これにより、貯水部内に必要以上に長期に水が貯まるのを防止することができる。
【００１１】
前記植栽部、前記貯水部、及び、前記集水部のうちの少なくとも一方が構造物に対して着脱可能に構成されてもよい。
【００１２】
斯かる構成によれば、前記植栽部、前記貯水部、及び、前記集水部のうちの少なくとも一方が構造物に対して着脱可能であることで、既存の構造物に対して貯水構造を設置することができる。
【００１３】
前記集水部は、集水部を貫通するように形成されて植栽部で植栽される植物を挿通可能に構成された植物挿通部を備えてもよい。
【００１４】
斯かる構成によれば、集水部は、植物挿通部を備えることで、植栽部で植栽される植物を植物挿通部を介して集水部の上側へ露出させることができる。
【００１５】
前記植栽部、及び、貯水部は、構造物に設置可能に構成されており、前記植栽部が貯水部の上側に配置されることで、植栽部が構造物から離間した位置に保持されてもよい。
【００１６】
斯かる構成によれば、植栽部、及び、貯水部が構造物上に設置された状態で、植栽部が貯水部の上側に配置されることで、植栽部が構造物から離間した位置に保持されるため、植栽部で植栽される植物から延びる根っこが構造物中に侵入するのを防止することができる。
【００１７】
前記植栽部は、一つ又は複数の植栽部材を用いて形成されており、前記貯水部は、一つ又は複数の貯水部材を用いて形成されてもよい。
【００１８】
斯かる構成によれば、前記植栽部は、一つ又は複数の植栽部材を用いて形成されており、前記貯水部は、一つ又は複数の貯水部材を用いて形成されるため、任意の植栽部材と任意の貯水部材とを適宜選択して貯水構造を形成することができる。
【００１９】
前記貯水部に貯水された水を流動させる流動設備を更に備えてもよい。
【００２０】
斯かる構成によれば、前記貯水部に貯水された水を流動させる流動設備を更に備えることで、貯水部に貯水された水の溶存酸素量の低下を抑制することができるため、貯水部に貯水された水の水質が経時的に悪化するのを抑制することができる。
【００２１】
本発明に係る貯水構造集合形態は、上記何れかの貯水構造が水平方向に複数配列して形成される貯水構造集合形態であって、隣接する貯水部同士の間に隙間が形成される。
【００２２】
斯かる構成によれば、貯水構造が水平方向に複数配列して形成され、隣接する貯水部材同士の間には、隙間が形成されるため、建築物の屋上のような風の影響を受ける環境に貯水構造集合形態を形成する際に、風荷重を低減することができる。
【００２３】
本発明に係る集水部材は、植栽が施される植栽部と水が貯水される貯水部とを備える貯水構造の前記貯水部へ水を集める集水部材であって、前記植栽部における植栽を行う領域を上方から覆うように配置可能に構成された集水本体部を備えると共に、該集水本体部を上下方向に貫通する集水貫通孔と、該集水貫通孔から集水本体部の外側へ向かって形成されて集水貫通孔から離れるに従って集水貫通孔よりも高さが高くなるように形成された集水傾斜部とを備えており、集水貫通孔は、前記貯水部が備える領域であって上方に植栽部が重ならないように構成されて貯水部へ水を供給可能な水供給領域と上下方向において重なるように配置される。
【発明の効果】
【００２４】
以上のように、本発明によれば、雨水等の水を植栽領域に接触させることなく貯水部へ供給することできる。
【図面の簡単な説明】
【００２５】
【図１】（ａ）は、本発明の一実施形態に係る貯水構造で使用される植栽部材を上方から見た状態を示した図、（ｂ）は、（ａ）のＩ−Ｉ断面図。
【図２】（ａ）は、同一実施形態に係る貯水構造で使用される貯水部材を上方から見た状態を示した図、（ｂ）は、（ａ）のＩＩ−ＩＩ断面図。
【図３】（ａ）は、同一実施形態に係る貯水構造で使用される集水部材を上方から見た状態を示した図、（ｂ）は、（ａ）のＩＩＩ−ＩＩＩ断面図、（ｃ）は、（ａ）のＩＶ−ＩＶ断面図。
【図４】同一実施形態に係る貯水構造を示した断面図。
【図５】本発明の一実施形態に係る貯水構造集合形態を示した断面図。
【図６】（ａ）は、本発明の他の実施形態に係る貯水構造で使用される貯水部材を上方から見た状態を示した図、（ｂ）は、（ａ）のＶ−Ｖ断面図。
【図７】本発明の更に他の実施形態に係る貯水構造で使用される貯水部材及び集水部材を示した断面図。
【図８】本発明の他の実施形態に係る貯水構造を示した断面図。
【発明を実施するための形態】
【００２６】
以下、本発明の実施形態について図１〜５を参照しながら説明する。なお、以下の図面において同一または相当する部分には同一の参照符号を付しその説明は繰り返さない。
【００２７】
本発明に係る貯水構造は、植栽が施される植栽部と、水が貯水される内部空間を形成する貯水部と、植栽部及び貯水部の上方に配置されて接触した水を所定方向へ集める集水部とを備える。
【００２８】
前記植栽部としては、特に限定されるものではないが、例えば、図１（ａ）及び図１（ｂ）に示すように、植栽部材１ａを用いて構成される植栽部１が挙げられる。植栽部材１ａは、植栽を行う凹状部１ｂと、該凹状部１ｂから外側へ延出する延出部１ｃと、凹状部１ｂの内側に形成された筒状部１ｄとを備える。前記凹状部１ｂは、環状に形成された底部１ｅと、該底部１ｅの外周部から上方へ起立するように形成された側壁部１ｆと、底部１ｅの内周部から上方へ起立するように形成された内壁部１ｇとを備える。そして、底部１ｅと側壁部１ｆと内壁部１ｇとで囲まれた空間に土壌を敷き詰めて植物を植えることで植栽が行われる。つまり、植栽部材１ａにおける凹状部１ｂを備える領域が植栽を行う領域（以下、植栽領域とも記す）１ｋとなる。
【００２９】
底部１ｅは、凹状部１ｂ内の水を凹状部１ｂの外側へ排出する排水孔１ｈを複数備える。側壁部１ｆは、下端部が底部１ｅの外周端部に連結され、上端部が延出部１ｃに連結される。内壁部１ｇは、筒状部１ｄから構成される。具体的には、筒状部１ｄは、軸線方向が上下方向になるように形成され、下端部が底部１ｅの内周端部に連結されることで、内壁部１ｇを構成する。また、筒状部１ｄは、上下方向の両端部に開口部１ｉ，１ｉを備える。つまり、筒状部１ｄは、下側に形成される開口部１ｉが底部１ｅの外周端部に連結される。そして、筒状部１ｄによって、植栽部材１ａを上下方向に貫通する貫通孔１ｊが植栽部材１ａに形成される。
【００３０】
前記貯水部としては、特に限定されるものではないが、例えば、図２（ａ）及び図２（ｂ）に示すように、貯水部材２ａを用いて構成される貯水部２が挙げられる。貯水部材２ａは、水を貯める内部空間を形成する凹状部２ｂと、該凹状部２ｂから外側へ延出する延出部２ｃとを備える。また、貯水部材２ａ（貯水部２）は、貯水構造が形成された状態において、内部空間へ水を供給可能な水供給領域２ｄを備える。
【００３１】
前記凹状部２ｂは、底部２ｅと、該底部２ｅの外周部から上方へ起立するように形成された側壁部２ｆとを備える。そして、底部２ｅと側壁部２ｆとで囲まれた内部空間に水を貯めることができる。また、凹状部２ｂは、上端部（側壁部２ｆの上端部）に開口部２ｈを備える。そして、凹状部２ｂは、開口部２ｈから内部空間に前記植栽部材１ａ（植栽部１）の凹状部１ｂを収容可能に構成される。
【００３２】
底部２ｅは、凹状部２ｂ内の水を凹状部２ｂの外側へ排出する排水孔２ｇを備える。そして、側壁部２ｆは、下端部が底部２ｅの外周端部に連結され、上端部が延出部２ｃに連結される。つまり、貯水部材２ａ（貯水部２）は、側壁部の高さの１／３以下の高さ位置に貯水された水を排出する排水部（排水孔）２ｇを備える。該排水孔２ｇには、貯水部材２ａ（貯水部２）から排出される水を所望する方向へ導く導水部材２ｉが取り付けられる。該導水部材２ｉとしては、特に限定されるものではなく、例えば、管状に形成されたものや、棒状に形成された吸水材（例えば、ポリオレフィン系繊維やポリエステル系繊維の束を成形したもの等を用いることができる。
【００３３】
水供給領域２ｄは、貯水部材２ａ（貯水部２）の中央部に想定される領域である。また、水供給領域２ｄは、貯水構造が形成された状態で、上側に植栽部材１ａが重ならない領域である。
【００３４】
前記集水部としては、特に限定されるものではないが、例えば、図３（ａ）〜図３（ｃ）に示すように、集水部材３ａを用いて構成される集水部３が挙げられる。集水部材３ａは、板状に形成された集水本体部３ｂと、該集水本体部３ｂの外周端部から外側へ延出する延出部３ｃとを備える。
【００３５】
集水本体部３ｂは、厚み方向に貫通する集水貫通孔３ｄを備える。該集水貫通孔３ｄは、集水本体部３ｂの中央部に複数形成される。本実施形態では、集水貫通孔３ｄは、一つの集水貫通孔３ｄの周囲に放射状に他の複数の集水貫通孔３ｄが形成される。
【００３６】
また、集水本体部３ｂは、集水貫通孔３ｄから離れるに従って集水貫通孔３ｄよりも高さが高くなるように形成された集水傾斜部３ｅを備える。該集水傾斜部３ｅは、集水本体部３ｂの中央部（具体的には、集水貫通孔３ｄを備える領域）から集水本体部３ｂの外周端部へ向かって高さが高くなるように形成される。つまり、集水貫通孔３ｄを備える領域は、集水本体部３ｂにおける高さの最も低い位置に形成される。
【００３７】
また、集水本体部３ｂの外周端部には、集水傾斜部３ｅから上方へ突出するように形成された外周突出部３ｆが形成される。該外周突出部３ｆは、集水本体部３ｂの外周端部の全域に亘って形成される。具体的には、外周突出部３ｆは、集水傾斜部３ｅの外周端部に沿って枠状に一体的に形成される。これにより、集水本体部３ｂ上に供給される水量（例えば、降水量）が集水貫通孔３ｄから流れ出す水量よりも多くなって集水本体部３ｂ上に水が溜まる場合であっても、集水本体部３ｂ上に溜まった水は、外周突出部３ｆによって塞き止められるため、集水本体部３ｂの外側へ流出するのが抑制される。また、外周突出部３ｆは、下端部が前記延出部３ｃに連結される。
【００３８】
また、集水本体部３ｂの外周端部よりも内側の領域には、集水傾斜部３ｅから上方へ突出するように形成された内側突出部３ｇが形成される。該内側突出部３ｇは、集水本体部３ｂにおける集水貫通孔３ｄを備える領域の周囲に形成される。具体的には、内側突出部３ｇは、集水本体部３ｂにおける集水貫通孔３ｄを備える領域を中心に対称となる位置に複数形成される。また、内側突出部３ｇは、集水本体部３ｂにおける集水貫通孔３ｄを備える領域から集水本体部３ｂの外周端部へ向かって長手となるように形成される。また、内側突出部３ｇは、前記植栽部１（植栽部材１ａ）で植栽される植物を挿通可能に構成された植物挿通部３ｈを備える。該植物挿通部３ｈは、内側突出部３ｇの上端部に形成される。また、植物挿通部３ｈは、内側突出部３ｇを上端部を厚み方向に貫通ように形成される。また、植物挿通部３ｈは、集水本体部３ｂの中央側から外周端部側へ向かって長手となる線状（スリット状）に形成される。
【００３９】
そして、上記のように構成される植栽部材１ａと貯水部材２ａと集水部材３ａとが組み合わされることで、図４に示すように、植栽部１と貯水部２と集水部３とを備える貯水構造１０が形成される。該貯水構造１０は、建築物の屋上等の構造物に対して着脱可能に設置される。
【００４０】
貯水構造１０は、植栽部１（植栽部材１ａ）の下に貯水部２（貯水部材２ａ）が配置される。また、貯水部材２ａの開口部２ｈから貯水部材２ａの内側に植栽部材１ａの凹状部１ｂが挿入されると共に、貯水部材２ａの延出部２ｃに植栽部材１ａの延出部１ｃが上方から当接する。これにより、貯水部材２ａの上に植栽部材１ａが載置された状態となる。これにより、植栽部材１ａが構造物から離間した位置に保持される。
【００４１】
そして、貯水部材２ａの上方に植栽部材１ａが重ならない領域によって水供給領域２ｄが構成される。具体的には、水供給領域２ｄは、貯水部材２ａにおける植栽部材１ａの開口部１ｉの下方において該開口部１ｉの内側の領域と重なる領域によって構成される。これにより、貯水部材２ａの内部空間は、植栽部材１ａの開口部１ｉ、及び、貫通孔１ｊと連通するように構成される。
【００４２】
また、貯水構造１０は、植栽部１（植栽部材１ａ）の上方に集水部３（集水部材３ａ）が配置される。そして、植栽部材１ａにおける植栽を行う領域（凹状部１ｂ）が集水部材３ａによって上方から覆われる。より詳しくは、植栽部材１ａの凹状部１ｂは、集水部材３ａにおける集水貫通孔３ｄを備える領域よりも外側の領域（より詳しくは、集水傾斜部３ｅ）によって覆われた状態となる。本実施形態では、植栽部材１ａの略全体が集水部材３ａによって覆われた状態となる。また、集水部材３ａの内側突出部３ｇは、植栽部材１ａの凹状部１ｂの上方に配置されて該凹状部１ｂと上下方向において重なるように配置される。
【００４３】
また、植栽部材１ａの開口部１ｉと集水部材３ａの集水貫通孔３ｄ（換言すれば、集水本体部３ｂの高さの最も低い領域）とが上下方向において重なるように、植栽部材１ａの上方に集水部材３ａが配置される。本実施形態では、集水部材３ａの集水貫通孔３ｄは、植栽部材１ａの開口部１ｉの上方に配置されて該開口部１ｉと上下方向において重なるように構成される。これにより、貯水部材２ａの水供給領域２ｄと集水部材３ａの集水貫通孔３ｄとが上下方向において重なるように構成される。つまり、集水部材３ａの集水貫通孔３ｄと植栽部材１ａの貫通孔１ｊと貯水部材２ａの水供給領域２ｄとが連通するように構成される。
【００４４】
上記のように構成される貯水構造１０では、例えば、植栽部材１ａの凹状部１ｂ内に土壌を収容して植栽が行われる。植栽用の植物は、集水部材３ａの植物挿通部３ｈに挿通されることで、凹状部１ｂで植栽された状態で集水部材３ａの上方へ露出させることができる。
【００４５】
また、貯水構造１０上に雨が降った際には、集水部材３ａによって植栽部材１ａの植栽を行う領域（具体的には、凹状部１ｂ）が覆われているため、凹状部１ｂ内の土壌に雨水が接触することがない。そして、集水部材３ａ上の雨水は、集水傾斜部３ｅを伝って集水貫通孔３ｄ側へ流れ、該集水貫通孔３ｄ、及び、植栽部材１ａの貫通孔１ｊを通って貯水部材２ａの水供給領域２ｄに流れ落ちることになる。これにより、貯水部材２ａ内に雨水を貯めることができる。そして、貯水部材２ａに貯められた雨水は、排水孔２ｇから排出され、導水部材２ｉによって所定の場所（例えば、下水道や排水路等）へ導かれる。
【００４６】
また、上記のように構成される貯水構造１０は、図５に示すように、水平方向に複数配列されて貯水構造集合形態１００を構成することができる。斯かる場合には、隣接する貯水部材２ａ，２ａの間に隙間Ｒ１が形成される。
【００４７】
以上のように、本願実施形態に係る貯水構造、貯水構造集合形態、及び、集水部材は、雨水等の水を植栽領域に接触させることなく貯水部へ供給することできる。
【００４８】
即ち、前記集水部３は、植栽部１における植栽を行う領域（以下、植栽領域とも記す）１ｋを上方から覆うように構成されるため、例えば、雨が降った際に、植栽領域１ｋと雨水とが接触するのを集水部３によって防止することができる。そして、集水部３と接触した雨水は、集水傾斜部３ｅを伝って集水貫通孔３ｄ側へ集められることになる。
また、貯水部２の水供給領域２ｄと集水貫通孔３ｄとが上下方向において重なる位置に配置されるため、集水貫通孔３ｄ側へ集められた雨水が集水貫通孔３ｄを介して水供給領域２ｄへ供給される。これにより、貯水部２の内部空間へ雨水を貯めることができる。つまり、雨水を植栽領域１ｋと接触させることなく、貯水部２へ貯めることができる。これにより、植栽領域１ｋの土壌との接触によって富栄養化した雨水や、植栽領域１ｋとの接触によって土を含有した雨水が貯水部２で貯水されるのを防止することができるため、良好な水質の水を貯水部２で貯水することができると共に、貯水部２に汚れが蓄積されるのを抑制することができる。
【００４９】
また、貯水部２の側壁部２ｆの高さの１／３以下の高さ位置に貯水された水を排出する排水部２ｇを備えることで、貯水部２内の水量が前記高さ位置を超える前に貯水部２からの水の排出を行うことができる。これにより、貯水部２内に必要以上に長期に水が貯まるのを防止することができる。
【００５０】
また、前記植栽部１、前記貯水部２、及び、前記集水部３のうちの少なくとも一方が構造物に対して着脱可能であることで、既存の構造物に対して貯水構造１０を設置することができる。
【００５１】
また、集水部３は、植物挿通部３ｈを備えることで、植栽部１で植栽される植物を植物挿通部３ｈを介して集水部３の上側へ露出させることができる。
【００５２】
また、植栽部１、及び、貯水部２が構造物上に設置された状態で、植栽部１が貯水部２の上側に配置されることで、植栽部１が構造物から離間した位置に保持されるため、植栽部１で植栽される植物から延びる根っこが構造物中に侵入するのを防止することができる。
【００５３】
また、貯水構造１０が水平方向に複数配列して形成され、隣接する貯水部材２ａ同士の間には、隙間Ｒ１が形成されるため、建築物の屋上のような風の影響を受ける環境に貯水構造集合形態１００を形成する際に、風荷重を低減することができる。
【００５４】
なお、本発明に係る貯水構造、貯水構造集合形態、及び、集水部材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００５５】
例えば、上記実施形態では、貯水部材２ａは、一体的に形成されたものであるが、これに限定されるものではなく、複数の部材が連結されることで、一つの貯水部材２ａを構成してもよい。具体的には、図６（ａ）及び図６（ｂ）に示すように、２つの貯水部材片２１ａ，２１ａ同士が連結されることで、一つの貯水部材２ａを構成してもよい。斯かる場合には、各貯水部材片２１ａは、水を貯める内部空間を形成する凹状部２１ｂと、該凹状部２１ｂから外側へ延出する延出部２１ｃとを備える。また、貯水部材２１ａ（貯水部２）は、貯水構造が形成された状態において、内部空間へ水を供給可能な水供給領域２１ｄを備える。
【００５６】
前記凹状部２１ｂは、底部２ｅと、該底部２１ｅの外周部から上方へ起立するように形成された側壁部２１ｆとを備える。そして、底部２１ｅと側壁部２１ｆとで囲まれた内部空間に水を貯めることができる。また、凹状部２１ｂは、上端部（側壁部２１ｆの上端部）に開口部２１ｈを備える。
【００５７】
一方の貯水部材片２１ａは、他方の貯水部材２１ａと連結される連結部２１ｉを備える。また、２つの貯水部材片２１ａ，２１ａ同士が連結された状態で、貯水部材片２１ａ，２１ａ同士の間に隙間Ｒ２が形成されることが好ましい。これにより、建築物の屋上のような風の影響を受ける環境に貯水構造１０を形成する際に、風荷重を低減することができる。
【００５８】
また、上記実施形態では、集水部材３ａの集水貫通孔３ｄは、植栽部材１ａの開口部１ｉの上方に配置されて該開口部１ｉと上下方向において重なるように構成されるが、これに限定されるものではなく、例えば、図７に示すように、集水貫通孔３ｄが植栽部材１ａの開口部１ｉよりも下方に位置するように集水部材３１ａが構成されてもよい。斯かる場合には、集水部材３１ａは、集水貫通孔３ｄを備える領域が集水傾斜部３ｅを構成する領域よりも下方に突出するように形成され、集水貫通孔３ｄを備える領域（突出した部分）が植栽部材１ａの貫通孔１ｊの内側に配置されるように構成されてもよい。
【００５９】
また、上記実施形態では、貯水構造１０は、植栽部１と貯水部２と集水部３とが別々の部材によって（具体的には、植栽部材１ａと貯水部材２ａと集水部材３ａとによって）構成されているが、これに限定されるものではなく、例えば、植栽部１と貯水部２と集水部３とが一体的に形成されたものであってもよい。
【００６０】
また、上記実施形態では、貯水部材２ａの中央部に水供給領域２ｄが形成されているが、これに限定されるものではなく、例えば、図８に示すように、植栽部材１ａと貯水部材２ａとが水平方向に配置されることで、貯水部材２ａの全体によって水供給領域２ｄが構成されてもよい。斯かる場合には、植栽部材１ａの略全体ではなく、少なくとも植栽を行う領域（具体的には、凹状部１ｂのみ）が集水部材３ａ（具体的には、集水本体部３ｂ）によって覆われるように構成されてもよい。
【００６１】
また、上記実施形態では、貯水部材２ａの底部２ｅに排水部（排水孔）２ｇが形成されているが、これに限定されるものではなく、例えば、貯水部材２ａの側壁部２ｆに（具体的には、側壁部２ｆにおける高さの１／３以下の位置に）排水部（排水孔）２ｇが形成されてもよい。
【００６２】
また、上記実施形態では、植栽部１は、一つの植栽部材１ａから構成されているが、これに限定されるものではなく、例えば、複数の植栽部材を用いて形成されてもよい。また、上記実施形態では、貯水部２は、一つの貯水部材２ａから構成されているが、これに限定されるものではなく、例えば、複数の貯水部材２ａを用いて形成されてもよい。斯かる場合には、任意の植栽部材１ａと任意の貯水部材２ａとを適宜選択して貯水構造１０を形成することができる。
【００６３】
また、上記実施形態の貯水部２に貯水された水を流動させる流動設備（図示せず）を更に備えてよい。斯かる場合には、貯水部２に貯水された水の溶存酸素量の低下を抑制することができるため、貯水部２に貯水された水の水質が経時的に悪化するのを抑制することができる。
【符号の説明】
【００６４】
１…植栽部、１ａ…植栽部材、１ｂ…凹状部、１ｃ…延出部、１ｄ…筒状部、１ｅ…底部、１ｆ…側壁部、１ｇ…内壁部、１ｈ…排水孔、１ｉ…開口部、１ｊ…貫通孔、１ｋ…植栽領域、２…貯水部、２ａ…貯水部材、２ｂ…凹状部、２ｃ…延出部、２ｄ…水供給領域、２ｅ…底部、２ｆ…側壁部、２ｇ…排水部、２ｈ…開口部、２ｉ…導水部材、３…集水部、３ａ…集水部材、３ｂ…集水本体部、３ｃ…延出部、３ｄ…集水貫通孔、３ｅ…集水傾斜部、３ｆ…外周突出部、３ｇ…内側突出部、３ｈ…植物挿通部、１０…貯水構造、２１ａ…貯水部材片、３１ａ…集水部材、１００…貯水構造集合形態、Ｒ１…隙間、Ｒ２…隙間
【図１】
2018057349.tif 000003
【図２】
2018057349.tif 000004
【図３】
2018057349.tif 000005
【図４】
2018057349.tif 000006
【図５】
2018057349.tif 000007
【図６】
2018057349.tif 000008
【図７】
2018057349.tif 000009
【図８】
2018057349.tif 000010